(57)【要約】【課題】香りが使い捨てカイロ本体内の発熱体に含まれる活性炭に吸着されることがなく個包装用袋内に充満して留まり、開封時に強く芳香し、使用時にも芳香を継続することができる、香り付き使い捨てカイロを提供すること。【解決手段】少なくとも一方の面１１ａに複数の通気用小孔１７を備えた扁平袋体１１内に発熱体１２を封入してなるカイロ本体１３と、非通気性を有し複数の通気用小孔１７を閉塞して前記一方の面の易剥離可能に貼着され使用時に剥離される剥離シート１４と、扁平袋体１１又は剥離シート１４に貼着され芳香剤を含浸した不織布１５と、を有し、これらを個包装用袋１６内に収容・密封してなる。【選択図】図１
2010022405.tif 000002
【特許請求の範囲】
【請求項１】
少なくとも一方の面に複数の通気用小孔を備えた扁平袋体内に発熱体を封入してなるカイロ本体と、
非通気性を有し前記複数の通気用小孔を閉塞して前記一方の面の易剥離可能に貼着され使用時に剥離される剥離シートと、
前記扁平袋体又は前記剥離シートに貼着され芳香剤を含浸した不織布と、を有し、
これらを個包装用袋内に収容・密封してなることを特徴とする香り付き使い捨てカイロ。
【発明の詳細な説明】
【技術分野】
【０００１】
本発明は、袋を開くと芳香する香り付き使い捨てカイロに関する。
【背景技術】
【０００２】
従来、使い捨てカイロの表面に薬剤や香料を含浸させ、この薬剤や香料を、使い捨てカイロの発熱原理を応用することにより、揮発・拡散の促進させる、使い捨て拡散装置が知られている（特許文献１参照）。
【０００３】
【特許文献１】特開２００１−２１８８１６号公報
【発明の開示】
【発明が解決しようとする課題】
【０００４】
しかしながら、特許文献１のものは、使い捨てカイロの発熱原理を使った発熱体を通気性梱包材で包み、その表部に薬剤又は香料を含ませた、あるいは湿布した拡散層をとりつける構成であるので、製造直後から発熱体に含まれる活性炭に揮発した香料が吸収されてしまう。このため、製造から購入までの期間が比較的短くても活性炭が香り吸収するので個包装用袋の開封時には弱く芳香し、製造から購入までの期間が長くなると、芳香が終わり、香りの全部が活性炭に吸収されてしまい、開封時にはほとんど芳香がしない、という問題がある。
【０００５】
本発明は、上述した点にかんがみ案出されたもので、その目的とするところは、香りが使い捨てカイロ本体内の発熱体に含まれる活性炭に吸着されることがなく個包装用袋内に充満して留まり、開封時に強く芳香し、使用時にも芳香を継続することができる、香り付き使い捨てカイロを提供することにある。
【課題を解決するための手段】
【０００６】
上記課題を解決するため、本発明の香り付き使い捨てカイロは、少なくとも一方の面に複数の通気用小孔を備えた扁平袋体内に発熱体を封入してなるカイロ本体と、非通気性を有し前記複数の通気用小孔を閉塞して前記一方の面の易剥離可能に貼着され使用時に剥離される剥離シートと、前記扁平袋体又は前記剥離シートに貼着され芳香剤を含浸した不織布と、を有し、これらを個包装用袋内に収容・密封してなることを特徴とする。
上記構成の香り付き使い捨てカイロは、貼らないタイプと、貼るタイプとを含む。
【０００７】
上記構成によれば、カイロ本体を構成する扁平袋体の通気用小孔を剥離シートで閉塞して個包装用袋内に収容・密封しているので、カイロ本体に貼着された芳香剤を含浸した不織布から、製造直後より気化する香りがカイロ本体内の発熱体に含まれる活性炭に吸着されることがないから、不織布から気化する香りは個包装用袋内に充満して留まり、個包装用袋の開封時に強く芳香し、使用中も扁平袋体に貼着した芳香剤を含浸した不織布からの芳香を引き続いて継続することができる。
【発明の効果】
【０００８】
本発明によれば、不織布から気化する香りがカイロ本体内の発熱体に含まれる活性炭に吸着されることがなく個包装用袋内に充満して留まり、開封時に強く芳香し、使用時にも芳香を継続することができる、香り付き使い捨てカイロを提供することができる。
【発明を実施するための最良の形態】
【０００９】
以下に、本発明の実施の形態に係る香り付き使い捨てカイロについて図面を参照して説明する。
【００１０】
〔第１の実施形態〕
図１は、貼らないタイプの香り付き使い捨てカイロ１０Ａに係る。香り付き使い捨てカイロ１０Ａは、一方の面に複数の通気用小孔１７を備え他方の面１１ｂが非通気性である扁平袋体１１内に発熱体１２を封入したカイロ本体１３と、非通気性を有し前記複数の通気用小孔１７を閉塞して前記一方の面１１ａに易剥離可能に貼着され使用時に剥離される剥離シート１４Ａと、前記他方の面１１ｂに貼着され芳香剤を含浸した不織布１５Ａと、を有し、これらを個包装用袋１６内に収容・密封してなる（図１（ａ）参照）。
【００１１】
扁平袋体１１は、複数の通気用小孔１７を備えた一方の面１１ａと（図１（ｂ）参照）、非通気性である他方の面１１ｂとを備えた扁平な袋形状であれば良く、三方シール袋体形状、四方シール袋体形状、或いはピロー包装袋体形状等の何れの形態であっても良い。また、扁平袋体１１は、シーラントフィルムの単層フィルム、又はシーラントフィルムを内層とする積層フィルム（外層に不織布も含まれるものとする）の何れより製袋されても良く、易引裂性を有していない構成が良い。
【００１２】
複数の通気用小孔１７は、扁平袋体１１の一方の面１１ａに分散して備えられ、発熱体１２が酸化発熱するための空気を通流させる役目を果たす。通気用小孔は、例えば製袋工程で一方の面１１ａを構成する単層フィルム又は積層フィルムに釘等の針状体を突き刺して開けた孔であって良い。扁平袋体１１をピロー包装袋体形状とする場合には、背張りシールが無い方の面を上述した一方の面１１ａとして通気用小孔を備えるのが良い。
【００１３】
剥離シート１４Ａは、扁平袋体１１の一方の面１１ａに易剥離可能に貼着されている。剥離シート１４Ａは、非通気性を有し、複数の通気用小孔を閉塞し使用時に剥離される（図１（ｂ）参照）。剥離シート１４Ａは、非通気性を有していれば良く、単層フィルム又は積層フィルムの何れでも良い。剥離シート１４Ａの扁平袋体１１の一方の面１１ａへの貼着は、接着または粘着の何れであっても良く、易剥離性を有していれば良い。易剥離性を有する接着として、シーラントフィルム同士をイージーピールを介在させてヒートシールするのが良い。
【００１４】
不織布１５Ａは、芳香剤を含浸されてなり、この実施形態ではカイロ本体１３の他方の面１１ｂに貼着されている。
【００１５】
個包装用袋１６は、これらを酸素バリア性、水蒸気バリア性、及び香りを含む気体バリア性を有する包材よりなる。個包装用袋１６は、三方シール袋体形状、四方シール袋体形状、或いはピロー包装袋体形状の何れでも良く、例えば、ｏｐｐ／アルミ箔／ｃｐｐの三層フィルムにより製袋し、或いは、易引裂性を有するシーラントフィルムの単層フィルム、又はシーラントフィルムを内層とする積層フィルムにより製袋するのが良い。
【００１６】
香り付き使い捨てカイロ１０Ａによれば、図１（ａ）に示すように、カイロ本体１３の一方の面１１ａの通気用小孔１７を非通気性を有する剥離シート１４Ａで閉塞して個包装用袋１６内に収容・密封しているので、カイロ本体１３に貼着された芳香剤を含浸した不織布１５Ａから気化する香りが製造直後よりカイロ本体１３内の発熱体１２に含まれる活性炭に吸着されてしまい芳香しなくなる、ということがなく、不織布１５Ａから気化する香りは個包装用袋１６内に充満して留まる。図１（ｂ）に示すように、個包装用袋１６を開封すると、袋内に溜まっていた香りが拡散し、強く芳香し、これにより使用者の興趣を満足する。開封後の使用時は、通気用小孔１７を通して酸素がカイロ本体１３内に入り発熱体１２が発熱し、カイロ機能を発揮する。他方の面１１ｂに貼着されている不織布１５Ａから含浸している芳香剤が使用中も芳香し得る。
【００１７】
〔第２の実施形態〕
図２は、貼らないタイプの香り付き使い捨てカイロを示す。この香り付き使い捨てカイロ１０Ｂは、一方の面に複数の通気用小孔１７を備え他方の面１１ｂが非通気性である扁平袋体１１内に発熱体１２を封入したカイロ本体１３と、非通気性を有し前記複数の通気用小孔１７を閉塞して前記一方の面１１ａに易剥離可能に貼着され使用時に剥離される剥離シート１４Ｂと、前記剥離シート１４Ｂに積層して貼着され芳香剤を含浸した不織布１５Ｂと、を有し、これらを個包装用袋１６内に収容・密封してなる（図２（ａ）参照）。
【００１８】
香り付き使い捨てカイロ１０Ｂは、扁平袋体１１と発熱体１２とカイロ本体１３と個包装用袋１６が、第１の実施形態複数の構成と同一である。
【００１９】
香り付き使い捨てカイロ１０Ｂでは、剥離シート１４Ｂに粘着剤が塗布されていて、この粘着剤により、剥離シート１４Ｂがカイロ本体１３の一方の面１１ａに粘着されている。不織布１５Ｂは、剥離シート１４Ｂの上に積層して貼着され使用時に該剥離シート１４Ｂと一体に剥離される。剥離シート１４Ｂはカイロ本体１３の他方の面１１ｂへ再粘着することができる。これにより、不織布１５Ｂも他方の面１１ｂへ貼着される構成である。
【００２０】
香り付き使い捨てカイロ１０Ｂによれば、図２（ａ）に示すように、第１の実施形態と全く同様に、カイロ本体１３の一方の面１１ａの通気用小孔を剥離シート１４Ｂで閉塞しているので、不織布１５Ｂから気化する香りは個包装用袋１６内に充満して留まり、図２（ｂ）に示すように、個包装用袋１６を開封すると、袋内に溜まっていた香りが拡散し、強く芳香する。開封後は、剥離した剥離シート１４Ｂをカイロ本体１３の他方の面１１ｂに再粘着することにより、不織布１５Ｂをカイロ本体１３の他方の面１１ｂに貼着する。これにより、使用時は、剥離シート１４Ｂの剥離により通気用小孔１７を通して酸素がカイロ本体１３内に入り発熱体１２が発熱し、カイロ機能を発揮する。他方の面１１ｂに貼着されている不織布１５Ｂから含浸している芳香剤が使用中も芳香し得る。
【００２１】
〔第３の実施形態〕
図３は、貼らないタイプの香り付き使い捨てカイロを示す。この香り付き使い捨てカイロ１０Ｃは、両面に複数の通気用小孔１７を備えた扁平袋体１１内に発熱体１２を封入したカイロ本体１３と、非通気性を有しカイロ本体１３の両面の複数の通気用小孔１７を閉塞して両面１１ａ，１１ｂに易剥離可能に貼着され使用時に剥離される一対の剥離シート１４Ｃ，１４Ｃと、一方の剥離シート１４Ｃに積層して粘着され芳香剤を含浸した不織布１５Ｃと、を有し、これらを個包装用袋１６内に収容・密封してなる（図３（ａ）参照）。
【００２２】
香り付き使い捨てカイロ１０Ｃでは、不織布１５Ｃに粘着剤が塗布されていて、この粘着剤により、不織布１５Ｃがカイロ本体１３のいずれか一方の剥離シート１４Ｃに粘着されている。不織布１５Ｃは、剥離シート１４Ｃの上に積層して粘着され使用時に該剥離シート１４Ｃと共に剥離され、さらに剥離シート１４Ｃから剥離され、カイロ本体１３のいずれか一方の面１１ａ又は１１ｂへ再粘着することができる構成である。
【００２３】
香り付き使い捨てカイロ１０Ｃによれば、図３（ａ）に示すように、第１の実施形態と全く同様に、カイロ本体１３の一方の面１１ａの通気用小孔１７を剥離シート１４Ｃで閉塞しているので、不織布１５Ｃから気化する香りは個包装用袋１６内に充満して留まり、図３（ｂ）に示すように、個包装用袋を開封すると、袋内に溜まっていた香りが拡散し、強く芳香する。開封後は、カイロ本体１３の両面から不織布１５Ｃ，１５Ｃを剥離しさらに一方の剥離シート１４Ｃから不織布１５Ｃを剥離し、この不織布１５Ｃをカイロ本体１３の一方の面１１ａ又は他方の面１１ｂに粘着する。これにより、使用時は、通気用小孔１７を通して酸素がカイロ本体１３内に入るので発熱体１２が発熱し、カイロ機能を発揮する。他方の面１１ｂに貼着されている不織布１５Ｃから含浸している芳香剤が使用中も芳香し得る。
【００２４】
〔第４の実施形態〕
図４は、貼るタイプの香り付き使い捨てカイロを示す。この香り付き使い捨てカイロ１０Ｄは、一方の面１１ａに複数の通気用小孔１７を備えてなる扁平袋体１１内に発熱体１２を封入したカイロ本体１３と、非通気性を有し前記複数の通気用小孔１７を閉塞して前記一方の面１１ａの易剥離可能に貼着され使用時に剥離される剥離シート１４Ｄと、前記他方の面１１ｂに塗布された弱粘着剤を隠蔽して易剥離可能に貼着され使用時に剥離される剥離シート１８と、前記剥離シート１４Ｄに積層貼着され芳香剤を含浸した不織布１５Ｄと、を有し、これらを個包装用袋１６内に収容・密封してなる。なお、芳香剤を含浸した不織布１５Ｄが前記剥離シート１８に積層貼着されていても良い。
【００２５】
香り付き使い捨てカイロ１０Ｄによれば、図４（ａ）に示すように、カイロ本体１３の一方の面１１ａの通気用小孔１７を非通気性を有する剥離シート１４Ｄで閉塞して個包装用袋１６内に収容・密封しているので、カイロ本体１３に貼着された芳香剤を含浸した不織布１５Ｄから気化する香りが製造直後よりカイロ本体１３内の発熱体１２に含まれる活性炭に吸着されてしまい芳香しなくなる、ということがなく、不織布１５Ｄから気化する香りは個包装用袋１６内に充満して留まる。図４（ｂ）に示すように、個包装用袋１６を開封すると、袋内に溜まっていた香りが拡散し、強く芳香し、これにより使用者の興趣を満足する。開封後の使用時は、図４（ｃ）に示すように、カイロ本体１３の両面から剥離シート１４Ｄ、１８を剥離し剥離シート１８で隠蔽されていた弱粘着剤１９により衣類等に貼着する。芳香剤を含浸した不織布１５Ｄは、剥離した剥離シート１４Ｄから更に剥離して該剥離シート１４Ｄを張っていた一方の面１１ａに貼着する。不織布１５Ｄの貼着は、一方の面１１ａの通気用小孔１７の通気性を妨げない。こうして、剥離シート１４Ｄ、１８を剥離し、剥離シート１４Ｄから剥離した不織布１５Ｄを一方の面１１ａに再貼着すると、通気用小孔１７を通して酸素がカイロ本体１３内に入り発熱体１２が発熱し、カイロ機能を発揮する。他方の面１１ｂに貼着されている不織布１５Ｄから含浸している芳香剤が使用中も芳香し得る。
〔第５の実施形態〕
図５は、貼るタイプの香り付き使い捨てカイロ１０Ｅを示す。香り付き使い捨てカイロ１０Ｅは、一方の面１１ａが非通気性を有し、他方の面１１ｂに複数の通気用小孔１７を備えかつ弱粘着剤１９を塗布された扁平袋体１１内に発熱体１２を封入したカイロ本体１３と、非通気性を有し複数の通気用小孔１７を閉塞して他方の面１１ｂの易剥離可能に貼着され使用時に剥離される剥離シート１４Ｅと、一方の面１１ａに貼着され芳香剤を含浸した不織布１５Ｅと、を有し、これらを個包装用袋１６内に収容・密封してなる。
【００２６】
香り付き使い捨てカイロ１０Ｅによれば、図５（ａ）に示すように、カイロ本体１３の他方の面１１ｂの通気用小孔１７を非通気性を有する剥離シート１４Ｅで閉塞して個包装用袋１６内に収容・密封しているので、カイロ本体１３に貼着された芳香剤を含浸した不織布１５Ｅから気化する香りが製造直後よりカイロ本体１３内の発熱体１２に含まれる活性炭に吸着されてしまい芳香しなくなる、ということがなく、不織布１５Ｅから気化する香りは個包装用袋１６内に充満して留まる。図５（ｂ）に示すように、個包装用袋１６を開封すると、袋内に溜まっていた香りが拡散し、強く芳香し、これにより使用者の興趣を満足する。開封後の使用時は、図５（ｃ）に示すように、カイロ本体１３の両面から剥離シート１４Ｅを剥離し露出した弱粘着剤１９により衣類等に貼着する。剥離シート１４Ｅを剥離すると、通気用小孔１７を通して酸素がカイロ本体１３内に入り発熱体１２が発熱し、カイロ機能を発揮する。他方の面１１ｂに貼着されている不織布１５Ｅから含浸している芳香剤が使用中も芳香し得る。
【００２７】
本発明は上記実施の形態に限定されるものでなく、特許請求の範囲に記載された発明の要旨を逸脱しない範囲内での種々、設計変更した形態を技術的範囲に含むものである。
【図面の簡単な説明】
【００２８】
【図１】第１の実施の形態の香り付き使い捨てカイロに係り、（ａ）は未使用状態を示す断面図であり、（ｂ）は使用時に剥離する状態を示す断面図である。
【図２】第２の実施の形態の香り付き使い捨てカイロに係り、（ａ）は未使用状態を示す断面図であり、（ｂ）は使用時に剥離する状態を示す断面図である。
【図３】第３の実施の形態の香り付き使い捨てカイロに係り、（ａ）は未使用状態を示す断面図であり、（ｂ）は使用時に剥離する状態を示す断面図であり、（ｃ）は使用状態を示す断面図である。
【図４】第４の実施の形態の香り付き使い捨てカイロに係り、（ａ）は未使用状態を示す断面図であり、（ｂ）は使用時に剥離する状態を示す断面図であり、（ｃ）は使用状態を示す断面図である。
【図５】第５の実施の形態の香り付き使い捨てカイロに係り、（ａ）は未使用状態を示す断面図であり、（ｂ）は使用時に剥離する状態を示す断面図であり、（ｃ）は使用状態を示す断面図である。
【符号の説明】
【００２９】
１０Ａ，１０Ｂ，１０Ｃ  貼らないタイプの香り付き使い捨てカイロ
１０Ｄ，１０Ｅ  貼るタイプの香り付き使い捨てカイロ
１１  扁平袋体
１１ａ  一方の面
１１ｂ  他方の面
１２  発熱体
１３  カイロ本体
１４Ａ，１４Ｂ，１４Ｃ，１４Ｄ，１４E  剥離シート
１５Ａ，１５Ｂ，１５Ｃ，１５Ｄ，１５Ｅ  不織布
１６  個包装用袋
１７  通気用小孔
１８  剥離シート
【図１】
2010022405.tif 000003
【図２】
2010022405.tif 000004
【図３】
2010022405.tif 000005
【図４】
2010022405.tif 000006
【図５】
2010022405.tif 000007